(57)【要約】【課題】直接、回転レバーによって遠方を観賞する末端接眼鏡または天体を観賞する水平接眼鏡の機能を切り換えることができる望遠鏡装置を提供する。【解決手段】本考案は、通常の望遠観賞、天文観賞または拡大鏡として使用できる光学望遠鏡を提供し、特に、遠方観賞の末端接眼鏡か天体観賞の水平接眼鏡かを迅速に切り換える機能を有する装置であり、その考案の特徴は、該望遠鏡装置上に同時に末端接眼鏡および水平接眼鏡を設け、末端接眼鏡と水平接眼鏡が集まる箇所に迅速切り換え反射鏡面を設け、使用者は外側の回転レバーによって直接末端接眼鏡と水平接眼鏡を切り換え、遠方の対象を観賞し、仰角を必要とせずに直接水平接眼鏡により天体を観賞することができる。【選択図】図１
0003141364.tif 000002
【実用新案登録請求の範囲】
【請求項１】
対物鏡ソケット１、管体２、造型マスク体３、小望遠鏡／拡大鏡４、載置台５、伸縮管６、末端接眼鏡７、水平接眼鏡８、回転式切り換え鏡面９および造型ホルダー１０等の構成部材を含み、該内部に設ける凸レンズ１１の一端と管体２とを接合し、管体２の一端は、造型マスク体３に被せ、その上、１つの小望遠鏡／拡大鏡４を係止でき、該小望遠鏡／拡大鏡４は小型望遠鏡を使用または通常の書類観察または小物体を観察する拡大鏡を使用することができ、且つ管体２の下端管壁上に脚部を増設できる載置台５を固定してなり、対応片から伸縮管６を組成し、その収容槽中に末端接眼鏡７、水平接眼鏡８を固定し、回転式切り換え鏡面９を軸定位し、伸縮管６底部に歯縞６１を設け、伸縮管６周囲に半透明ホルダー６２を設け、半透明ホルダー６２が上記歯縞６１の箇所に対応して脱出溝６２１を設け、半透明ホルダー６２の一端に造型筒１０を被せ、該造型筒１０底方に回転レバー１０１を設け、回転レバー１０１が歯車１０３を付属する回転軸１０２を接続し、該歯車１０３が上記歯縞６１と相互に噛合い、回転レバー１０３を回転させる時、伸縮管６を駆動制御し、移動させ、照準を行う接眼鏡を迅速に切り換える望遠鏡装置。
【請求項２】
前記伸縮管６内の回転式切り換え鏡面９は、回転式切り換え鏡面９の筐体９１両側に凸軸９２を設け、凸軸９２が伸縮管６内壁上に定位し、可回転状を呈するようにし、筐体９１の両側にスライド溝９３を有し、伸縮管６内で回転式切り換え鏡面９と対応する箇所が切り換えレバー９４によって偏心アーム９５を固定し、偏心アーム９５末端にフィード軸９５１を有し、フィード軸９５１が上記筐体９１のスライド溝９３内に進入し、切り換えレバー９４を回転させ、回転式切り換え鏡面９が水平状を呈するように回転させ、使用者に末端接眼鏡７から対物鏡ソケット１を介するかまたは水平接眼鏡８から対物鏡ソケット１の反射および透過を経由し、照準し遠方の対象物または天体を観賞できる請求項１記載の接眼鏡を迅速に切り換える望遠鏡装置。
【考案の詳細な説明】
【技術分野】
【０００１】
本考案は、一般的望遠観賞、天文観測または拡大鏡として使用可能な光学望遠鏡に関し、特に、直接、回転レバーによって遠方を観賞する末端接眼鏡または天体を観賞する水平接眼鏡の機能を切り換えることができる装置に関する。
【背景技術】
【０００２】
一般の望遠鏡の多くは、ストレート状の拡大望遠器具に属し、その構造は、前端の対物凸レンズ（objective lens）によって管末端の接眼鏡（eyepiece）に合わせて照準後、離れた対象を観賞するものであり、それは、末端対物鏡の水平または比較的小さい角度の遠い所の対象、例えば、風景、建物、鳥等に対する観賞は、問題ないが、仰天の天体観測または月の観賞に対しては、依然として末端接眼鏡により制限を受け、鑑賞者が大幅に押し下がるか、身体を屈めて始めて目と末端接眼鏡を密接でき、使用者にとって極めて不便である。
【０００３】
上記の大きな仰角の観察の問題を克服するため、業者は近年末端接眼鏡と水平接眼鏡を両用できる望遠鏡を研究開発し、その構造は、望遠鏡の管径において上面に向きの箇所に増設式の交換水平接眼鏡を設け、観賞者に大仰角の天体観賞に対して快適に長時間の観賞を行うことができるようにする。
【特許文献１】特開２００６−２６７１５７号公報
【考案の開示】
【考案が解決しようとする課題】
【０００４】
上記の従来の両用望遠鏡は、水平接眼鏡を設け、容易に天体の観賞をできるが、その水平接眼鏡は、増設式、交換式に属し、その使用上は、依然として便利ではなく、本願の考案者は、末端接眼鏡と水平接眼鏡を切り換えることができる考案を出願しているが、その末端接眼鏡は、構成部材の後方に独立して切り換えなければならず、望遠鏡全体の造型が極めて制限されるので、従来の類似製品は、改善の余地を有する。
【課題を解決するための手段】
【０００５】
本考案は、通常の望遠観賞、天文観賞または拡大鏡として使用できる光学望遠鏡を提供し、特に、遠方観賞の末端接眼鏡か天体観賞の水平接眼鏡かを迅速に切り換える機能を有する装置であり、その考案の特徴は、該望遠鏡装置上に同時に末端接眼鏡および水平接眼鏡を設け、末端接眼鏡と水平接眼鏡が集まる箇所に迅速切り換え反射鏡面を設ける。
【考案の効果】
【０００６】
使用者は外側の回転レバーによって直接末端接眼鏡と水平接眼鏡を切り換え、遠方の対象を観賞し、仰角を必要とせずに直接水平接眼鏡により天体を観賞することができる。
【考案を実施するための最良の形態】
【０００７】
図１及び図２に示すように、本考案の「接眼鏡を迅速に切り換える望遠鏡装置」は、対物鏡ソケット１、管体２、造型マスク体３、小望遠鏡／拡大鏡４、載置台５、伸縮管６、末端接眼鏡７、水平接眼鏡８、回転式切り換え鏡面９および造型ホルダー１０等の構成部材を含む。
【０００８】
該内部に設ける凸レンズ１１の一端と管体２とを接合し、管体２の一端は、造型マスク体３に被せ、その上、１つの小望遠鏡／拡大鏡４を係止でき、該小望遠鏡／拡大鏡４は小型望遠鏡を使用または通常の書類観察または小物体を観察する拡大鏡を使用することができ、且つ管体２の下端管壁上に脚部を増設できる載置台５を固定する。
【０００９】
対応片から伸縮管６を組成し、その収容槽中に末端接眼鏡７、水平接眼鏡８を固定し、回転式切り換え鏡面９を軸定位し、伸縮管６底部に歯縞６１を設け、伸縮管６周囲に半透明ホルダー６２を設け、半透明ホルダー６２が上記歯縞６１の箇所に対応して脱出溝６２１を設け、半透明ホルダー６２の一端に造型筒１０を被せ、該造型筒１０底方に回転レバー１０１を設け、回転レバー１０１が歯車１０３を付属する回転軸１０２を接続し、該歯車１０３が上記歯縞６１と相互に噛合い、回転レバー１０３を回転させる時、伸縮管６を駆動制御し、移動させ、照準を行う。
【００１０】
図３、図４および図５に示すように、上記伸縮管６内の回転式切り換え鏡面９は、回転式切り換え鏡面９の筐体９１両側に凸軸９２を設け、凸軸９２が伸縮管６内壁上に定位し、可回転状を呈するようにし、筐体９１の両側にスライド溝９３を有し、伸縮管６内で回転式切り換え鏡面９と対応する箇所が切り換えレバー９４によって偏心アーム９５を固定し、偏心アーム９５末端にフィード軸９５１を有し、フィード軸９５１が上記筐体９１のスライド溝９３内に進入する。
【００１１】
本考案の装置は、上記構造の通りであり、切り換えレバー９４を回転させる時、回転式切り換え鏡面９が水平状を呈するように回転させ、使用者に末端接眼鏡７から対物鏡ソケット１を介して照準を経て遠方の対象を望遠観賞し（この時、水平接眼鏡８が使用状態を呈さない）、大仰角の天体観賞または月面観賞時、直接切り換えレバー９４を回転するだけで回転式切り換え鏡面９を適度な斜度に切り換えることができ、使用者が水平接眼鏡８から対物鏡ソケット１の反射および透過を経由し、照準し遠方の天体を観賞できる（この時、末端接眼鏡７はスイッチが使用状態を提供しない。）
【００１２】
このように、本考案の「接眼鏡を迅速に切り換える望遠鏡装置」は、回転レバーによって直接的に遠方を観賞する末端接眼鏡または天体を観賞する水平接眼鏡を迅速に選択切り換えることができる。
【図面の簡単な説明】
【００１３】
【図１】本考案の立体図である。
【図２】本考案の立体分解図である。
【図３】本考案の回転式切り換え鏡面構成部材の拡大立体図である。
【図４】本考案の回転式切り換え鏡面操作実施例の断面図である。
【図５】本考案の回転式切り換え鏡面操作実施例の断面図である。
【符号の説明】
【００１４】
１  対物鏡ソケット
１１  凸レンズ
２  管体
３  造型マスク体
４  小望遠鏡／拡大鏡
５  載置台
６  伸縮管
６１  歯縞
６２  半透明管
６２１  脱出溝
７  末端接眼鏡
８  水平接眼鏡
９  回転式切り換え鏡面
９１  筐体
９２  凸軸
９３  スライド溝
９４  切り換えレバー
９５  偏心アーム
９５１  フィード軸
１０  造型ホルダー
１０１  回転レバー
１０２  回転軸
１０３  歯車
【図１】
0003141364.tif 000003
【図２】
0003141364.tif 000004
【図３】
0003141364.tif 000005
【図４】
0003141364.tif 000006
【図５】
0003141364.tif 000007